(57)【要約】      （修正有）【課題】回転ミラー表面のウォーターミスト、水滴を即座に除去する目的を達成してドライバーの視線に影響を与えるのを防止するバックミラー装置を提供する。【解決手段】バックミラー装置は、フレーム台１０、一組の駆動組部品２０、及び少なくとも一回転ミラーを含む。そのうち、駆動組部品は、制御によって高速回転する回転軸２１を備え、該回転軸は回転ミラー３０と相互に固定され、駆動組部品によって回転軸の回転と共に該回転ミラーを回転させ、回転遠心力によって回転ミラー表面に留まったウォーターミスト、水滴を弾き飛ばす。【選択図】図１
0003163568.tif 000002
【実用新案登録請求の範囲】
【請求項１】
バックミラー装置において、
フレーム台と、
フレーム台の内部に設置し、制御を受けて回転する回転軸を設置する組駆動組部品と、
回転軸に固定し、回転軸の動きに合わせて回転する回転ミラーを含むことを特徴とするバックミラー装置。
【請求項２】
前記駆動組部品は、モーターを設置し、該回転軸は、モーターと共に伝動連結することを特徴とする請求項１記載のバックミラー装置。
【請求項３】
前記駆動組部品は、モーターを設置し、該回転軸はモーターによって伝動連結し、該フレーム台に相対してそれぞれモーター及び回転軸を定位させる設置部及び軸接部を設置することを特徴とする請求項１記載のバックミラー装置。
【考案の詳細な説明】
【技術分野】
【０００１】
本考案は、自動車、オートバイに使用するバックミラー装置に関するもので、特に即座に操作して回転ミラー表面に付着したウォーターミストや水滴を除去するバックミラー装置に係わる。
【背景技術】
【０００２】
ほとんどの車を運転する、もしくはオートバイを運転するドライバーには以下のような経験があるだろう。つまり雨が降ると左右両方のバックミラーに大量の雨が付着し、視線に影響を与える。特に大雨や洗車時の視界は更に悪くなる。そのため、市場では一部のバックミラー装置にいわゆる曇り止め機能が設置されており、それは主に電熱によってミラー表面の曇りを蒸発させている。
【０００３】
市場では、また撥水剤も販売されていて、それは主に親水性の鏡片表面を撥水性に転換するもので、雨水が鏡片表面に付着しにくくなり、更に雨水を水玉状に集めて雨水が落ちるのを加速させ、バックミラー装置からの視線をくっきりさせる。しかしながら、一般の撥水剤の機能は、時間と共に衰えてしまうため、改めて塗布して機能を持続させなければならない。
【０００４】
そのため、定期的に撥水剤を塗布すること以外、さもなければ雨が降るたびに撥水剤の効果を維持することができない。更に上述の電熱原理によって鏡片表面に留まった霧を蒸発させるには一定時間の作動により、その効果が表れるもので、仮に鏡片表面に留まるウォーターミスト、水滴の量が多い場合には、その作動時間は更に長くなり、場合によっては水滴を蒸発させる事ができず、運転時の安全を確保できない。
【考案の概要】
【考案が解決しようとする課題】
【０００５】
解決しようとする問題点は、バックミラーに大量の雨が付着し、運転中の視線に影響を与える点である。
【課題を解決するための手段】
【０００６】
本考案は、フレーム台、一組の駆動組部品、及び少なくとも一回転ミラーを含む。そのうち、駆動組部品は、制御によって高速回転する回転軸を備え、該回転軸は回転ミラーと相互に固定され、駆動組部品によって回転軸の回転と共に該回転ミラーを回転させ、回転遠心力によって回転ミラー表面に留まったウォーターミスト、水滴を弾き飛ばすことを最も主要な特徴とする。
【考案の効果】
【０００７】
本考案のバックミラー装置は、以下の利点がある。
回転遠心力によって回転ミラー表面に留まっているウォーターミスト、水滴を弾き飛ばし、即座に回転ミラー表面のウォーターミスト、水滴を除去する。
【０００８】
回転遠心力によって、回転ミラー表面に留まっているウォーターミスト、水滴を弾き飛ばしてウォーターミスト、水滴を除去する効果を備える。
【０００９】
即時、回転軸を稼働して回転させ、即座にバックミラー装置をきれいにする。
【図面の簡単な説明】
【００１０】
【図１】本考案の第一実施例の構造分解図である。
【図２】本考案の第一実施例の構造断面図である。
【図３】本考案の第二実施例の外観構造図である。
【図４】本考案の第二実施例の構造分解図である。
【考案を実施するための形態】
【００１１】
操作が簡単で、且つ即座に回転ミラー表面に留まっているウォーターミスト、水滴を除去するバックミラー装置を提供することを本考案の主な目的とする。
【００１２】
上述の目的のため、本考案のバックミラー装置は、フレーム台、一組の駆動組部品，及び少なくとも一回転ミラーを含む。そのうち、駆動組部品は制御によって高速回転する回転軸を備え、該回転軸は回転ミラーと相互に固定し、回転軸を動かして該回転ミラーを回転させ、回転遠心力によって回転ミラー表面に留まっているウォーターミスト、水滴を弾き落とし、回転ミラー表面ウォーターミスト、水滴を除去させてドライバーの視線に影響を与えることを防止する。
【実施例１】
【００１３】
本考案の特徴を図式と共に実施例を上げて詳細に説明する。
図１及び図２は、本考案の第一実施例のバックミラー装置構造分解図及びバックミラー装置の構造断面図であるが、本考案のバックミラー装置は、フレーム台１０、一組の駆動組部品２０，及び少なくとも一回転ミラー３０を含む。そのうち、
【００１４】
フレーム台１０は、駆動組部品２０、回転ミラー３０の機械構造体を納置するもので、更に車体に組み立てて連結するのに用いる。駆動組部品２０は、制御によって回転する回転軸２１を備える。また回転ミラー３０は、該駆動組部品２０の回転軸２１と相互に固定し、バックミラー装置全体が回転軸２１の動きによって該回転ミラー３０を回転させ、回転遠心力に寄って、回転ミラー３０表面に留まっているウォーターミスト、水滴を弾き飛ばし、回転ミラー３０表面のウォーターミスト、水滴を除去する目的を達成し、ドライバーの視線に影響を与えるのを防止する。
【００１５】
実施時、上述の駆動組部品２０は、モーター２２を設置する。該回転軸２１はモーター２２から伝動連結し、該控制組部品は車体内部もしくは車体外部に設置し、更に有線コントロールもしくは無線コントロール方式を選択してモーター２２の回転を制御する。
【００１６】
該フレーム台１０にはそれぞれモーター２２及び回転軸２１を定位する設置部１１及び軸接部１２を設置し、更に支持桿１３を設置して車体と相互に連結する。上述の実施例１において、該回転ミラー３０は円形の構造体であるため、そのフレーム台１０もまた円形の開口でそこに回転ミラー３０を設置する。そのため、回転ミラー３０を直接該フレーム台１０円形の開口箇所に設置し、回転ミラー３０が主なバックミラー片となる。
【実施例２】
【００１７】
図３及び図４に示すのは、本考案の実施例２のバックミラー装置外観構造図及びバックミラー装置構造分解図である。バックミラー装置全体のフレーム台１０には細長形状の開口を備え、そこに長方形メインミラー体４０を設置する。そして回転ミラー３０を長方形メインミラー体４０的前方に相対して設置し、該長方形メインミラー体４０には更に回転軸２１を通過させる穿孔４１を設置してそこで回転ミラー３０と回転軸２１を相互に固定し、回転ミラー３０を補助のバックミラー片とする。
【００１８】
更に回転ミラー３０は、長方形メインミラー体４０前方に設置して補助ミラーとして使用する時、フレーム台１０の細長形状開口に制限を受けずにスムーズに回転する。当然回転ミラー３０外形輪郭は円形の造形の制限を受けず、正三角形、正方形の外形輪郭でもよい。
【符号の説明】
【００１９】
１０        フレーム台
１１        設置部
１２        軸接部
１３        支持桿
２０        駆動組部品
２１        回転軸
２２        モーター
３０        回転ミラー
４０        長方形メインミラー体
４１        穿孔
【図１】
0003163568.tif 000003
【図２】
0003163568.tif 000004
【図３】
0003163568.tif 000005
【図４】
0003163568.tif 000006